(57)【特許請求の範囲】
【請求項１】
屋外構造物に取り付けられる鳥害防止具であって、
複数の線状部材と、
該複数の線状部材を束ねた状態で屋外構造物に固定する取付具と、
を備え、
前記各線状部材が、前記取付具に束ねられる第１直線部、該第１直線部に一端が接続された弾性部、及び該弾性部の他端に接続された第２直線部を備え、
前記弾性部は、前記各第２直線部を前記各第１直線部の上方に位置するように配置したとき、前記各第２直線部が前記各第１直線部に対してくの字に曲がる弾性を有していることを特徴とする鳥害防止具。
【請求項２】
前記弾性部はコイルばねから成り、該コイルばねの両端がそれぞれ前記第１直線部及び前記第２直線部に結合されていることを特徴とする請求項１に記載の鳥害防止具。
【請求項３】
その一端が前記取付具に取り付けられ、上方に延びる直線状の直線線状部材をさらに含むことを特徴とする請求項２に記載の鳥害防止具。
【請求項４】
前記第２直線部の遊端に取り付けられ、風を受けて前記第２直線部を変位させる風受け部をさらに含むことを特徴とする請求項１〜３のいずれか１項に記載の鳥害防止具。
【発明の詳細な説明】
【技術分野】
【０００１】
本発明は、屋外構造物に取り付けられ、鳥類による鳥害を防止する鳥害防止具に関する。
【背景技術】
【０００２】
電柱の腕金などの屋外構造物に鳥類が止まったり、営巣して鳥害をもたらすことがある。腕金は配電線を電柱の上部に支持するために使用されるもので、配電線は碍子を介して腕金に支持される。腕金は用途に応じて種々の形状、大きさを持ち、平坦な上面を有することがある。この平坦な上面は鳥類が営巣したり、休息するのに適している。具体的な鳥害として、地面に散乱している針金などを集めて腕金上に巣を作ったり、腕金上に営巣し又は休息する鳥類が排出する糞尿が地面に落下することがある。
【０００３】
こうした鳥害に対処すべく、従来から鳥害防止に関連する技術が提案されている。たとえば特許文献１は、腕金の上面などの鳥類が営巣、休息しやすい場所に固定され、所定形状を持つ複数本のロッドを束ねて成る鳥害防止具を開示している。この鳥害防止具は、それぞれが全体として逆Ｕ字形状に整形された複数本のロッドと、この複数本のロッドが噴水状に展開するように一端を束ねて腕金に固定する取付金具とを含む。
【特許文献１】実公昭６３−３１５８９号公報
【発明の開示】
【発明が解決しようとする課題】
【０００４】
上記従来の鳥害防止具は、噴水状に展開された複数本のロッドで腕金の上面の鳥類が営巣、休息しやすい空間をふさぐことができる。これにより、腕金の上面に鳥類が止まることが困難になり、鳥類の営巣、休息が防止される。また、この鳥害防止具は、所定形状に整形した複数本のロッドを束ねて成るので、材料の使用量が少なくて済み、形成（整形）が簡単である。
【０００５】
しかし、上記鳥害防止具により腕金の上面における鳥類の営巣や休息を防止できても、この鳥害防止具自体に鳥類が止まることを防止するのは困難である。つまり、各ロッドはほぼ逆Ｕ字形状を持ち、長さ方向中間の湾曲部は水平方向に近い方向に延びている。この水平方向に近い湾曲部には鳥類が止まりやすく、休息などのためにこの水平方向に近い部分に止まった鳥類が排出した糞尿が地面に落下することがある。
【０００６】
本発明は上記課題に鑑みてなされたもので、上記従来の鳥害防止具の利点を享受しつつその不具合を解消して、屋外構造物における鳥類の営巣や休息などを防止でき、しかも休息などのために鳥類が鳥害防止具自体へ止まることをも防止できる鳥害防止具を提供することを目的としている。
【課題を解決するための手段】
【０００７】
本発明の鳥害防止具は、請求項１に記載したように、屋外構造物に取り付けられる鳥害防止具であって、複数の線状部材と、該複数の線状部材を束ねた状態で屋外構造物に固定する取付具と、を備え、前記各線状部材が、前記取付具に束ねられる第１直線部、該第１直線部に一端が接続された弾性部、及び該弾性部の他端に接続された第２直線部を備え、前記弾性部は、前記各第２直線部を前記各第１直線部の上方に位置するように配置したとき、前記各第２直線部が前記各第１直線部に対してくの字に曲がる弾性を有していることを特徴とする。
【０００８】
本発明の鳥害防止具によれば、複数の線状部材の途中に弾性部を形成したので、弾性部の他端側に鳥類が止まろうとしたとき、弾性部が変位する。その結果、鳥類は変位し易く不安定な弾性部の他端側に止まりにくくなり、鳥類が鳥害防止具自体に止まることによる糞害などが防止できる。また、複数の線状部材が弾性部を有することにより噴水状に展開して屋外構造物の上面及び上方空間を塞ぐので、鳥類は屋外構造物に接近したり、その上面に止まることが困難になり、屋外構造物の上面での営巣などが防止できる。
【００１０】
次に、弾性部には例えばコイルばねを使用することができる（請求項２参照）。これにより、第２直線部を変位し易くする所望の弾性をコイルばねにより簡単かつ確実に得ることができる。また、コイルばねも鳥類の体重などで弾性変形し、弾性部に止まることを防止する。
【００１１】
上記複数の線状部材の他に、その一端が取付具に取り付けられ、上方に延びる少なくとも一本の直線状の線状部材（以下適宜「直線線状部材」と呼ぶ）を含むことができる（請求項３参照）。これにより、鳥類はこの直線線状部材に邪魔され線状部材に上方から接近しにくくなり、鳥類が上方から鳥害防止具に止まることが防止できる。
【００１２】
また、整形線状部材の第２直線部の遊端に、風を受けて第２直線部を変位させる風受け部を形成することができる（請求項４参照）。これにより、風を受ける面積が増えるので、たとえ鳥類が第１直線部などに接触しなくても、微風が吹いたときでも第２直線部が変位し易くなり、弾性部が弾性変形し、第２直線部や弾性部に鳥類が止まりにくくなる。
【発明を実施するための最良の形態】
【００１３】
（実施形態）
以下、本発明による鳥害防止具の実施形態を図面を参照しつつ説明する。図１は鳥害防止具２０、腕金１５及び電柱１０を示した斜視図であり、図２は図１の鳥害防止具２０の一本の整形線状部材２５を取り出して示した斜視図である。
【００１４】
図１において、円柱形状の電柱１０の上端には腕金１５が固定されている。この腕金１５は四角パイプ形状を持ち、その一端を締結部材１２により電柱１０の外周面に取り付けられ、ほぼ水平方向に延びている。腕金１５は平坦な上面１６を有し、この平坦な上面１６に、本実施形態の鳥害防止具２０が取り付けられている。この鳥害防止具２０は金属製の複数の線状部材２２及び４１の集合体と、結束金具４３と、取付金具４５とから成る。複数の線状部材の集合体はほぼ逆Ｕ字形状に整形された複数（ここでは四本。ただし、三本から八本程度の範囲で変更可能）の整形線状部材２５と、直線状に延びた一本の直線線状部材４１とを含む。
【００１５】
図１及び図２から分かるように、各整形線状部材２５は一端（固定端）２６と、それ以外の残部３１とを含み、残部３１は第１直線部３２、湾曲部３４及び第２直線部３７を有する。固定端２６及び第１直線部３２は第１線材２７から成り、湾曲部３４はコイルばねから成り、第２直線部３７は第２線材３６からなる。
【００１６】
詳述すると、第１線材２７の下方部分が直線状の固定端２６を形成し、上方部分が第１直線部３２を形成している。固定端２６の上方寄り部分が結束金具４３で結束され、下方寄り部分が後述する取付金具４５で腕金１５の平坦な上面１６に取り付けられている。残部３１の第１直線部３２は、固定端２６に対して所定角度をなし、上方に進むにつれて外向きに広がっている。
【００１７】
細いコイルばねから成る湾曲部３４の一端３５ａが第１直線部３２の先端（上端）３３ａに接合されている。湾曲部３４の他端３５ｂに第２直線部３７の一端（内端）３８ａが接合され、湾曲部３４は第２直線部３７の重量により逆Ｕ字形状に湾曲している。第２直線部３７は湾曲部３４の他端３５ｂから下方に進むにつれて外向きに延び、その先端（外端）３８ｂは平坦な上面１６の上方まで達している。
【００１８】
複数の整形線状部材２５の複数の第１直線部３２が漏斗状部をなし、複数の湾曲部３４が環状の盛上り部をなし、複数の第２直線部３７が傘状部をなしている。また、これら漏斗状部、環状の盛上り部及び傘状部が、固定端２６即ち取付金具４５から噴水状に展開している。整形線状部材２５の本数は、周方向で隣接する残部３１間の間隔が鳥類の体格よりも狭くなるように選定されている。
【００１９】
直線線状部材４１は複数の整形線状部材２５の中心部に配置され、その下方部分４２ａが固定端２６と一緒に結束金具４３で束ねられ、上方部分４２ｂがまっすぐ上方に延びている。
【００２０】
固定端２６を腕金１５に取り付ける取付金具４５は、水平部４７と垂直部４８とを有する断面Ｌ字形状の第１金具４６と、矩形板状の第２金具５１とを含む。第１金具４６の垂直部４８と第２金具５１とで整形線状部材２５の固定端２６及び直線線状部材４１の下方部分４２ａを挟み込み、第２金具５１をねじ部材４９で垂直部４８に結合している。固定端２６及び下方部分４２ａの最下端は直角に曲げられ、第２金具５１の下面に係止されている。また、第１金具４６の水平部４７がボルト５２により腕金１５の上面１６に締結されている。
【００２１】
以下、実施態様の鳥害防止具２０の製作について説明する。各整形線状部材２５の製作時は、第１線材２７の中間部を屈曲させて固定端２６及び第１直線部３２を形成し、第２線材３６をそのまま利用して第２直線部３７を形成する。湾曲部３４を形成するコイルばねの一端３５ａを第１直線部３２の上端３３ａに結合し、他端３５ｂを第２直線部３７の内端３８ａに結合する。
【００２２】
次に、複数の整形線状部材２５の固定端２６及び一本の直線線状部材４１の下方部分４２ａを結束金具４３で結束した後、取付金具４５の第１取付金具４６の垂直部４８と第２取付金具５１とで挟み、ねじ部材４９で固定する。その後、第１取付金具４６の水平部４７をボルト５３で腕金１５の上面１６に締結する。
【００２３】
以下、実施形態の鳥害防止具２０により得られる効果について説明する。この鳥害防止具２０によれば、まず鳥類がこの鳥害防止具２０に止まりにくくなる。すなわち、各整形線状部材２５の残部３１の途中にコイルばねを配置して弾性の湾曲部３４を構成したので、湾曲部３４よりも先端側の自由端側部分である第２直線部３７は外部から鳥類の体重が加わると変位する。また、第２直線部３７は、風が吹いていれば風力によっても変位し易い。更に、コイルばねから成る湾曲部３４は鳥類の体重で弾性変形して不安定であるので、鳥類が湾曲部３４に止まることが防止される。従って、この変位し易く不安定な第２直線部３７や弾性変形し易く不安定な湾曲部３４に鳥類が止まることは困難で、従来における鳥類が鳥害防止具に止まった場合の糞害などが防止される。
【００２４】
また、鳥害防止具２０によれば、鳥類が種々の方向から腕金１５の上方空間１９に進入することが防止できる。鳥害防止具２０の上方からの接近は、上方に延びた直線線状部材４１で防止される。また、直線線状部材４１の回りで隣接する複数の残部３１間の周方向の間隔は鳥類の体格よりも小さく、鳥類が残部３１の上方から上方空間１９に進入することが防止される。一方、腕金１５の厚さ方向即ち鳥害防止具２０の高さ方向において、複数の第２直線部３７の外端３８ｂは平坦な上面１６の上方まで達しているので、鳥類が鳥害防止具２０の径方向内向きに上方空間１９に侵入することも防止される。その結果、腕金１５の上面１６での鳥類の営巣や、上面１６に止まった鳥類の糞害が防止できる。
【００２５】
さらに、鳥害防止具２０の製作に関し、整形線状部材２５は第１線材２７を所定形状に屈曲（整形）させれば良く、また第２直線部３７、直線線状部材４１及び湾曲部３４を構成するコイルばねは、それぞれ汎用品を使用できる。従って、複数の線状部材２２の製作コストが安価である。
【００２６】
最後に、鳥害防止具２０の腕金１５への固定に関し、複数の線状部材２２は取付金具４５により容易に腕金１５の上面１６に固定することができるので、高所（電柱１０の上部）での作業が短時間ですむ。また、複数の線状部材２２は取付金具４５により確実に腕金１５の上面１６に固定できるので、一旦鳥害防止具２０を腕金１５に固定すれば、長期間にわたって鳥害防止効果を得ることができる。
（変形例）
次に、上記実施形態の整形線状部材の変形例につき、図２を参照しつつ説明する。変形例の整形線状部材２５では、図２に二点鎖線で示すように、各整形線状部材２５の残部３１の第２直線部３７に風受け部６０が取り付けられている。この風受け部６０はたとえば樹脂から成り、うちわ形状を持ち、その表面が垂直方向となるように第２直線部３７の外端３８ｂに取り付けられている。
【００２７】
この変形例の整形線状部材２５によれば、上記実施形態における効果に加えて、さらに以下の効果が得られる。すなわち、整形線状部材２５の残部３１の第２直線部３７の先端に風受け部６０を形成したことにより、第２直線部３７の風を受ける面積が増加した。従って、鳥類が休息などのために第２直線部３７に接触する前でも、風受け部６０が微風を受けても第２直線部３７が風の方向（通常水平方向）に変位し、鳥類が第２直線部３７により止まりにくくなり、鳥害防止効果がさらに向上する。
【００２８】
上記実施形態のその他の変形例について説明する。上記実施態様では、屋外構造物として、電線を電柱に支持するために使用される腕金１５を挙げたが、屋外構造物はこれに限定されない。たとえば、腕金１５が取り付けられる電柱１０自体でも良い。また、腕金の形状は上記まっすぐな四角パイプ形状以外に、例えば水平部と垂直部とを持つＬ字形状でも良く、この場合鳥害防止具は水平部に取り付けられる。取付具は、少なくとも固定端を挟む部分と、挟んだ固定端を屋外構造物に固定する部分とを有すれば良く、上記実施態様の取付金具４５に限定されない。
【００２９】
各整形線状部材２５の形状は、Ｕ字形状以外にも、たとえば半円形状や四分円形状であっても良い。また、逆Ｕ字形状の各整形線状部材２５の残部３１の湾曲部３４の曲率や、第１直線部３２及び第２直線部３７の長さは適宜変更できる。さらに、複数の整形線状部材２５の形状は全てが同じでも良いし、多少異なっても良い。
【図面の簡単な説明】
【００３０】
【図１】本発明の実施形態による鳥害防止具、腕金及び電柱を示した斜視図である。
【図２】図１の鳥害防止具の一本の整形線状部材を取り出して示した斜視図である。
【符号の説明】
【００３１】
１０・・・電柱、１５・・・腕金、１６・・・平坦な上面、１９・・・上方空間、２０・・・鳥害防止具、２２・・・線状部材、２５・・・整形線状部材、２６・・・固定端、３１・・・残部、３２・・・第１直線部、３４・・・湾曲部、３７・・・第２直線部、４１・・・直線線状部材、４５・・・取付金具、４６・・・第１金具、５１・・・第２金具、６０・・・風受け部
【図１】
0004704907.tif 000002
【図２】
0004704907.tif 000003